(57)【要約】  車など、乗り物を含むが、これらに限定されない種々の物体を清掃するための布、手袋、およびミットなど、清掃用品（２０）が開示される。一実施形態では、清掃用品は、毛状か、嵩高か、あるいは三次元の少なくとも一方の側（２６）を有するミットの形態である。この実施形態また他の実施形態では、手袋あるいはミットは、少なくとも部分的にその内部の裏地となる不透過性内側ライナー（３８，４０）を有する。別の実施形態では、手袋あるいはミットは、孔あき不織布また、孔あきフィルム外側表面（４６）を有する。別の実施形態では、清掃用品は、少なくとも一方の側に、ほぼ平らな材料を含むと共に、全側表面の約９０％未満の表面を有する、該側上の第２領域と視覚的に異なる、第１領域を含む。別の実施形態では、清掃用品は、用品の本体部分における第１、第２および第３指領域（８１ａ，８１ｂ，８１ｃ）を画成する指位置決め部（７０）を含む。清掃用品は、１回の使用を意図する種類（使い捨て）、あるいは２回以上の使用を意図する種類であり得る。
2008516737.tif 000002
【特許請求の範囲】
【請求項１】
開口部を有し、この開口部が人の手の少なくとも一部を収容するような大きさおよび形状に作られた本体部分を含む清掃用品であって、前記本体部分は、
第１の側と、
第２側の少なくとも一部と
を含み、これら第１の側および第２の側の少なくとも一方は、前記本体部分に接合された複数のストリップ材料からなる少なくとも一層の三次元構造体を含み、前記ストリップは、ある長さと、ある幅と、ある厚さとを有し、少なくとも幾つかのストリップの幅が４.５mmよりも広いことを特徴とする清掃用品。
【請求項２】
長手方向中心線と横断方向中心線とを有し、前記ストリップ材料が基端と末端とを有し、これらストリップ材料の少なくとも幾つかは、それらの長さが横方向に向けられ、これらが基端にて前記本体部分に接合されると共に末端が自由状態である請求項１に記載の清掃用品。
【請求項３】
（ａ）前記ストリップ材料の少なくとも幾つかが隣接した列をなして配され、前記ストリップがある長さと、ある幅と、基端と、末端とを有し、これらストリップ材料の末端の少なくとも幾つかが少なくとも部分的に重なり合う
（ｂ）前記ストリップ材料の少なくとも幾つかの末端には、曲線状縁部か、裂けた端部か、ほつれた端部か、鋸歯形状か、あるいはこれらの組み合わせからなるグループから選択される形状が与えられている
（ｃ）前記ストリップ材料は、これらの自由な末端の向きがランダム化するように再配列されている
（ｄ）前記清掃用品がミットである
（ｅ）前記清掃用品は、前記第１の側と第２の側との間にバリアをさらに含み、このバリアがフィルムを好ましくは含む
という付加的特徴のうちの少なくとも１つを有する請求項１または請求項２に記載の清掃用品。
【請求項４】
開口部を有し、この開口部が人の手の少なくとも一部を収容するような大きさおよび形状に作られた本体部分を含む清掃用品であって、前記本体部分は、
第１の側と、
第２の側の少なくとも一部と
を含み、これら第１の側および第２の側の少なくとも一方が孔あき不織布または孔あきフィルムを含むことを特徴とする清掃用品。
【請求項５】
前記第１の側と第２の側との間に第２の部材をさらに含み、この第２の部材が詰め物を好ましくは含み、前記第１の側が前記孔あき不織布または孔あきフィルムを含み、前記清掃用品が前記詰め物と前記第２の側との間にバリアをさらに含む請求項４に記載の清掃用品。
【請求項６】
開口部を有し、この開口部が人の手の少なくとも一部を収容するような大きさおよび形状に作られた本体部分を含み、この本体部分の指領域に隣接して指が配される清掃用品であって、前記本体部分は、
全表面を有する第１の側と、
全表面を有する第２の側と
を含み、前記清掃用品は、前記第１および第２の側の少なくとも一方が第１表面を画成するほぼ平らな材料を含む第１領域と、第２表面を画成する第２領域とを含み、前記第１表面が前記第１領域を含む側の全表面の９０％未満であり、前記第１領域が前記第２領域と視覚的に異なっていることを特徴とする清掃用品。
【請求項７】
（ａ）前記ほぼ平らな材料が孔あき材料を含み、この孔あき材料には、少なくとも０.５mm、より好ましくは少なくとも０.７５mm、より好ましくは少なくとも１mm、最も好ましくは少なくとも１.２５mmの平均開口寸法を有する開口が好ましくは設けられている
（ｂ）前記第１領域が少なくとも前記本体部分の指領域に位置している
（ｃ）前記第１表面が前記第１領域を含む側の全表面の好ましくは５０％未満、より好ましくは３３％未満、最も好ましくは２５％未満である
（ｄ）前記第１の側および第２の側の少なくとも一方が綿毛状か、嵩高か、あるいは他の３次元的な清掃部を含む
（ｅ）前記第１領域が前記第１の側に設けられ、前記綿毛状か、嵩高か、あるいは他の３次元的な清掃部が前記第２の側に設けられ、前記第１領域と、前記綿毛状か、嵩高か、あるいは他の３次元的な清掃部とが前記清掃用品の同じ側に好ましくは設けられている
（ｆ）前記第１領域および第２領域が少なくとも３つのデルタＥを有する
（ｇ）前記第１領域は、視覚的に認知できる表面のかき傷を生じさせることなく、車両のクリアコーティング面から汚れを除去するのに充分な研磨性がある
という付加的特徴のうちの少なくとも１つを有する請求項６に記載の清掃用品。
【請求項８】
開口部を有し、この開口部が人の手の少なくとも一部を収容するような大きさおよび形状に作られた本体部分を含み、この本体部分の指領域に隣接して指が配される清掃用品であって、前記本体部分は、
第１の側と、
第２の側と
を含み、この本体部分の指領域内に指位置決め部が設けられて前記第１の側と第２の側とを連結し、この指位置決め部は、当該指位置決め部により少なくとも部分的に仕切られた第１，第２および第３の指領域を画成することを特徴とする清掃用品。
【請求項９】
前記指位置決め部は、連続的な弧状の接合線か、あるいは第１接合線と第２接合線とを含む少なくとも２つの接合線の少なくとも１つを含む請求項８に記載の清掃用品。
【請求項１０】
前記指位置決め部が第１接合線と第２接合線とを含み、これら第１接合線および第２接合線は、
（ａ）これら第１接合線も第２接合線も前記本体部分の長手方向中心線に完全には沿って位置していないか、
（ｂ）これら第１接合線および第２接合線が前記本体部分の長手方向中心線の両側にあるか、
（ｃ）これら第１接合線および第２接合線の少なくとも一方が前記本体部分の長手方向中心線と概ね平行であるか、
（ｄ）これら第１接合線および第２接合線の少なくとも一方が前記長手方向中心線と交差する方向に配列するか、
（ｅ）これら第１接合線および第２接合線のそれぞれが前記長手方向軸線と交差する方向に配列するか、あるいは
（ｆ）人の手が少なくとも部分的に前記本体部分の中に位置する場合、これら第１接合線および第２接合線の少なくとも一方が親指を他の指から仕切るように配される
という方法のうちの少なくとも１つの方法で配されている請求項９に記載の清掃用品。
【発明の詳細な説明】
【技術分野】
【０００１】
本発明は、車など、乗り物を含むが、これらに限定されない種々の物体を清掃するための布、手袋、およびミットなど、清掃用品に関する。
【背景技術】
【０００２】
清掃用の手袋およびミットは既知である。種々の物体を清掃するための数々の異なる種類の用品が、特許文献に記載されている。これらの幾つかは、手袋あるいはミットの形態である。その他の物品は、代替形態におけるものである。物体を清掃するための用品は、次の特許および特許出願に記載されている：米国特許第３，５８９，８１９号（ブライアント（Bryant））；第４，０１５，３０６号（フェンスター（Fenster））；第４，９５３，２５０号（ブラウン（Brown））；第４，６９６，５９３号（バイレス（Bayless））；第４，９８０，９４３号（バーバー（Barber））；第５，５２５，３９３号（ラープ（Raab））；第５，３７３，６０１号（ミラー（Miller））；第５，９７９，００７号（スーン（Soon））；第６，１９２，５４３号  Ｂ１（リー（Lee））；第６，２４１，５８０号  Ｂ１（フィッシャー（Fisher）；第６，４９１，９２８号  Ｂ１（スミスＩＩＩ（Smith， III）；第６，４９４，７６７号（フィッシャー（Fisher）；第６，５３９，５４９号  Ｂ１（ピーターズ・ジュニア（Peters, Jr.））；および米国特許出願公開２００４／０００５８３１  Ａ１（ジレット（Gillette））。他の製品は、市場で入手可能である。このような製品の例は、日本（Japan）で販売されるフマキラー（Fumakila）ミットである。清掃用の手袋およびミットの改善のための追求が続けられている。
【発明の開示】
【発明が解決しようとする課題】
【０００３】
本発明は、布、手袋、およびミットなど、清掃用品に関するものである。本明細書に記載されている清掃用品は、車など、乗り物を含むが、これらに限定されない種々の物体を清掃するのに有用である。
【課題を解決するための手段】
【０００４】
本発明の多数の非限定的な実施形態が存在する。非限定的一実施形態では、開口部を有する本体部分を含む、手袋あるいはミットの形態の清掃用品が開示されている。手袋あるいはミットは、開口部が人の手の少なくとも一部を収容するような大きさおよび形状に作られている。本体部分は、ユーザーの手のひらに隣接して着用あるいは保持される第１の面あるいは側と、ユーザーの手の甲に隣接して着用される少なくとも部分的な第２の面あるいは側とを含む。清掃用品には、例えば、車を手で洗うための湿式清掃操作に適するように、湿潤強度などの特性が与えられてもよい。この実施形態では、第１の側および第２の側の少なくとも一方が、三次元構造体を含む清掃表面を含む。三次元構造体は、本体部分に接合された複数の材料のストリップからなる。互いの上に積み重ねられた材料のストリップの１つ以上の層が存在してもよい。幾つかの実施形態では、材料のストリップの少なくとも幾つかの幅は、約３mm（１／８インチ）より広い、あるいは、約４.５mm以上、あるいは、約４.８mm（３／１６インチ）以上である。
【０００５】
別の非限定的な実施形態では、清掃用品は、その清掃表面を含む孔あき外側表面（また「トップシート」）を有する。この実施形態では、孔あき清掃表面は、孔あき不織布、あるいは孔あきフィルムを含むことができる。この実施形態では、清掃用品は、清掃表面の下部に第２の部材（また「二次材料」）を含んでもよい。第２の部材は、清掃用品の清掃表面が上面に向けられる場合、清掃表面の「下部」にあると見なされる。第２の部材は、必要ではないが、次の機能の１以上を果たしてもよい：緩衝機能；スペーシング機能；吸収性機能；汚れ捕捉機能；および／または清掃組成物を泡立てるための泡立て機能。第２の部材は、種々の方式また、方式の組み合わせで作製される、詰め物、一層或いは複数層の繊維性材料若しくはウェブを含むがこれに限定されない、いくつかの異なる種類の材料を含むことができる。そのような材料としては、次のものを挙げてもよいが、これらに限定されない：エアレイされた材料、カーディングされた材料、カーディングされた熱結合材料、水流交絡された材料、スパンメルトされた材料、メルトブローされた材料、および同種のもの。第２の部材は、フォーム構造のような他の形態における、他の合成および／または天然系材料を含むこともできる。
【０００６】
別の非限定的な実施形態では清掃用品は、開口部を有し、本体部分の指領域に隣接して指が配される状態でこの開口部が人の手の少なくとも一部を収容するような大きさおよび形状に作られた本体部分を含む。本体部分は、全表面を有する第１の側と、全表面を有する第２の側とを含み、これら第１および第２の側の少なくとも一方が、第１表面を画成する第１領域と、第２表面を画成する第２領域とを含む。第１領域は、ほぼ平らな材料を含み、また第１表面は、該第１領域を含む側の全表面の約９０％未満である。第１領域は、第２領域と視覚的に異なる。
【０００７】
さらなる非限定的な実施形態では清掃用品は、開口部を有し、本体部分の指領域に隣接して指が配される状態でこの開口部が人の手の少なくとも一部を収容するような大きさおよび形状に作られた本体部分を含む。本体部分は、第１の側、第２の側および指位置決め部を含み、これは、本体部分の指領域内に指位置決め部が設けられて該第１の側と第２の側を連結する。この指位置決め部は、当該指位置決め部によって少なくとも部分的に仕切られた、第１、第２および第３指領域を画成する。
【０００８】
清掃用品は、耐液（例えば、水）性若しくは液体不透過性のライナーまた、バックシートを有してもよい。手袋あるいはミットの形態の清掃用品の場合、ライナーは、少なくとも部分的に清掃用品の内部の裏地になる内側ライナーを含んでもよい。他の実施形態では、清掃用品の少なくとも一部は、清掃用品にライナーを設けるのとは別の方法で、耐液性あるいは液体不透過性に作製されてもよい。例えば、清掃用品の少なくとも一部は、清掃用品を構成する材料の少なくとも一部に耐液性あるいは液体不透過性の内側コーティングを設けることによって、耐液性あるいは液体不透過性に作製されてもよい。
【０００９】
他の実施形態では、清掃用品は、手袋あるいはミットの場合におけるように、ユーザーの手の甲を完全に覆う部分を含む必要はない。他の実施形態では、例えば、清掃用品は、ユーザーの手の甲を覆ういかなる部分をも有さない、拭き取り用品の形態であり得る。他の実施形態では、清掃用品は、ユーザーの手の甲の一部のみを覆う（また単に隣接して着用される）部分を有することができる。そのような実施形態の一例は、清掃用品の形状が拭き取り用品に類似しているが、その一端部に着用者の指の先端部をすべり込ませることのできる部分を有する例であり、これは、ユーザーの手の甲の一部のみを覆う（また単に隣接して着用される）。そのような実施形態は、例えば：ユーザーの指の背側；ユーザーの指の先端部の背側；あるいはユーザーの手の甲の全体ではなく、ユーザーの手の甲の一部のみを覆ってもよい。
【００１０】
本明細書に記載される清掃用品は、１回の使用を意図する種類（使い捨て）、あるいは２回以上の使用を意図する種類であり得る。他の多数の実施形態もまた可能であり、以下の詳細な説明に記載するものが挙げられるが、これらに限定されない。また本発明は、本明細書に記載される清掃用品を作製する方法を含む。
【００１１】
以下の説明を参照して考察し、また添付図面と共に解釈することで、本発明は更に容易に明白になる。
【発明を実施するための最良の形態】
【００１２】
本発明は、布、手袋、およびミットなど、清掃用品に関するものである。車など、乗り物を含むが、これらに限定されない種々の物体を清掃するのに有用な清掃用品が、本明細書に記載されている。また本発明は、本明細書に記載される清掃用品を作製する方法を含む。
【００１３】
図１は、清掃用品２０の一実施形態を示す。この清掃用品２０は、毛状か、嵩高か、あるいは三次元の少なくとも一方の側を有するミットの形態である。図１に示された清掃用品２０は、特有の構成を有すること、また本発明の清掃用品は、この特定の構成を有するものに限定されないことを理解されたい。
【００１４】
図１に示された清掃用品２０は、内部に開口部２４を有する本体部分２２を含む。清掃用品２０は、開口部２４が人の手の少なくとも一部を収容するような大きさおよび形状に作られている。図示した実施形態では、清掃用品２０は、開口部２４にユーザーの手全体を収容するような大きさおよび形状が作られている。開口部２４と反対側の清掃用品２０の端部２５（つまり、その中にユーザーの指の先端がある部分）は、「対向する端部」と呼ばれる。図１〜３に示された実施形態では、対向する端部２５は、ユーザーの指を覆うための閉じた構造体を形成する。この実施形態では、対向する端部２５はまた、平面図において用品を両面のうち片方の面から見る場合、曲線的（あるいは凸状）である。本体部分２２は、長手方向中心線Ｌおよび横断方向中心線Ｔを有し、第１の側（また「第１面」）２６と、第２の側（また「第２面」）２８とを含む。長手方向中心線Ｌは、ユーザーの手が開口部２４に挿入された場合、ユーザーの指と同じ方向に延びる。この実施形態では、第１および第２の側の少なくとも一方は、複数の材料のストリップ３０からなる三次元構造体を含む。
【００１５】
図１に示された実施形態では、第１の側２６は三次元的であり、また第２の側２８はほぼ平らである。他の実施形態では、両側が三次元構造体を含んでもよい。図１に示された三次元の第１の側２６は、それに更に多くの嵩高を与えるのに、および／または材料のストリップ３０を再び向けるか、ランダム化するのに、再び配するか若しくは「綿毛状」にできる材料のストリップからなり得る。いかなる特定の理論にも束縛されるものではないが、これによって、三次元の第１の側２６は、より良く清掃すること、および／または清掃される表面に適合すること、および／または除去された汚れ粒子を清掃された乗り物の表面にいっそう優れて寄せ付けないことが可能になる場合がある。
【００１６】
材料のストリップ３０は、あらゆる適した向きで配設できる。図４に示されるように、図１〜３に示された実施形態では、材料のストリップ３０は、最初（つまり、再び配するかあるいは綿毛状にする前）は、それらの長さが横断方向中心線Ｔに対して概ね平行な状態で向けられている。他の実施形態では、材料のストリップ３０は、長手方向中心線Ｌに対して概ね平行に、また長手方向中心線若しくは横断方向中心線に関してあらゆる適した角度で向けられてもよい。さらに他の実施形態では、材料のストリップ３０の幾つかが、上に規定された方向のうち一方向に向けられてもよく、また他の材料のストリップ３０が、一方向以上の異なる方向に向けられてもよい。
【００１７】
あらゆる適した数のストリップ３０が存在し得、またストリップ３０を、あらゆる適した位置決めで提供することができる。図４に示されるように、図１〜３に示された非限定的な実施形態におけるストリップ３０は、縦４列あるいは縦５列Ｃのストリップで配することができる。ストリップの縦列Ｃは、長手方向に向けられ、それ故、「長手方向の列」（また他の方向に向けられるならば、単に「列」）と呼んでもよい。図５に示されるように、互いの上に積み重ねられて材料のストリップ３０を形成する、ストリップ材料の幾つかの層も存在してもよい。三次元表面の有効な嵩（かさ）を増大させるのに、あらゆる適した数のストリップ材料の層が積み重ねられて、材料のストリップ３０を形成してもよい。ある非限定的な実施形態では、例えば、３〜５層のストリップ材料が清掃用品に存在してもよい。
【００１８】
図１〜５に示された実施形態では、ストリップ３０は、長手方向に向けられた１つ以上のウェブ３１から形成される。ウェブ３１は、ストリップ３０を形成するための横断方向スリット３３を、それらの長手方向側縁部に有する。図４および５に示された通り、ストリップ３０は、各々の対のスリット３３の間に形成される。図示された実施形態では、対向するストリップ３０が、ウェブ３１の両方の長手方向側縁部に形成されている。各ストリップ３０は２つの端部、基端３０Ａおよび末端３０Ｂ、を有する。ストリップ３０は、それらの基端３０Ａにおいて、結合３２によって本体部分２２に接合されている。ストリップ３０は、隣接した縦列Ｃにおけるストリップ３０の末端３０Ｂが重なり合うように、本体部分２２に接合することができる。ストリップ３０は、ストリップ３０が平坦な状態（つまり、綿毛状でない場合）および／または綿毛状状態にある場合、重なり合うような形状に作られている。
【００１９】
本明細書で使用される場合、用語「接合された」は、要素を他の要素に直接取付けることによって、一方の要素が他方の要素に直接固定される形状；要素を中間体部材（単数または複数）に取付け、次にそれが他の要素に取付けられることによって、一方の要素が他方の要素に間接的に固定される形状；および一方の要素が他方の要素と一体である、すなわち、一方の要素が本質的に他方の要素の一部をなす形状を含む。
【００２０】
材料のストリップ３０は、あらゆる適した材料を含むことができる。好適な材料としては、織布および不織布ウェブ、並びに孔あきフィルム、フォーム、スクリム、および網目などの高分子材料が挙げられるが、これらに限定されない。好適な織布および不織布材料は、天然源に由来する繊維（例えば、パルプ、綿、ウール、レーヨン、ビスコース繊維）、合成繊維（例えば、ポリエステル、ポリプロピレン、ナイロン、アラミド、ポリエチレン、ポリ乳酸、および生分解性繊維）、あるいは天然繊維と合成繊維との組合わせから、少なくとも部分的になることができる。合成繊維は、もしあれば、バイコンポーネント繊維、スプリット繊維、および／または超極細繊維の形態を含むがこれらに限定されない、あらゆる適した形態であってもよい。
【００２１】
非限定的な一実施形態では、材料のストリップ３０は、不織布（また「不織布材料」）を含む。不織布は、あらゆる適した種類の不織布を含むことができる。材料のストリップ３０を含む不織布は、それを作製する方法によって表すことができる。材料のストリップ３０は、いくつかの異なる方法によって作製できる。これらとしては、エアレイド、ウエットレイド（wed laid）、メルトブローン、スパンボンド、カード、熱結合、エアースルー結合、粉末結合、ラテックス結合、溶剤結合、スパンレース、および前述の組み合わせが挙げられるが、それらには限定されない。ある実施形態では、不織布は、約１５〜８０ｇ／ｍ2の坪量を有するスパンボンドされたポリプロピレンを含むことができ、これは、１.１〜４.４ｄｔｅｘ（約１〜４デニール）を有する少なくとも幾つかの繊維で作られている。一実施形態では、アヴゴル社（Avgol Ltd.）（イスラエル、ホーローン（Holon））から入手されるアヴスパン（AVSPUN）（商標）として知られる１．６ｄｔｅｘ（１.４デニール）の紡糸繊維を有する、４５ｇ／ｍ2ポリプロピレン繊維のスパンボンド／メルトブローン／スパンボンド水流交絡（また「ＳＭＳ」）不織布詰め物を使用することができる。そのような材料は、アヴゴル（Avgol）の米国特許公報ＵＳ２００４／００１０８９４  Ａ１にさらに詳細に記載されている。
【００２２】
所望する場合、ストリップ３０を形成する材料は、清掃用品２０を形成する前にさらに加工してもよい。ストリップ３０を形成する材料は、印刷、機械的変形、区域高密度化、あるいは当該技術分野において既知の他の方法によってさらに加工されて、例えば、限定されないが、色彩、研磨性および質感などの追加的な特性を付与してもよい。使用してもよい後処理技術の例は、次の特許公報：ＵＳ２００４／０１３１８２０  Ａ１（ＰＣＴ国際公開特許ＷＯ０４／０５８１１７  Ａ１）、およびＰＣＴ国際公開特許ＷＯ０４／０４９，０６１に記載されている。
【００２３】
材料のストリップ３０は、あらゆる適した寸法であり得る。例として、ストリップ３０は、長さ約０.６ｃｍ（１／４インチ）以上〜約５.１ｃｍ（２インチ）、あるいはそれより多く、および幅約３mm（１／８インチ）より広く、あるいは、約４.５mm以上、あるいは、約４.８mm（３／１６インチ）以上〜約２.５ｃｍ（１インチ）、あるいは、それより広い範囲であり得る。ある実施形態では、材料のストリップ３０は、材料のストリップの厚さの約２倍よりも広い幅、あるいはそれらの厚さの２倍よりも広いあらゆる倍数を有してもよい。ある実施形態では、材料のストリップ３０は、約１.３〜３.８ｃｍ（０.５〜１.５インチ）の長さ、約０.３〜１ｃｍ（０.１〜０.４インチ）の幅、および約０.３〜０.５mm（０.０１〜０.０２インチ）の厚さを有する。
【００２４】
またストリップ３０には、他の特性が備わっていてもよい。幾つかの実施形態では、ストリップ３０には、スリット、またほつれた端部がを設けてもよい（例えば、指部、分岐、あるいは同種のものを形成するのに、幅の広いストリップに、１つ以上（例えば、多数）のスリットを有する自由末端３０Ｂを設けることができる）。これらの実施形態、あるいは他の実施形態では、スリットは、ストリップ３０の側縁部に沿って（つまり、ストリップ３０の長さに沿って）設けることもできる。加えて、他の実施形態では、そこに形成されたスリットを有するものとして本明細書で説明されるストリップ３０の部分のいずれかが、別の方法としては、例えば、曲線状切断、あるいは鋸歯形状切断など、他の方法で切断されて、その上にジグザグまた、鋸歯形状縁部を形成することができる。
【００２５】
図４および５に示された通り、各ウェブ３１における対向するストリップ３０は、概ね同じ長さ（また対称的）である。加えて、図４および５に示された実施形態では、異なるウェブ３１のストリップは、同じ長さを概ね有する。しかし、ストリップ３０の多数の他の変形が可能である。例えば、他の実施形態では、図６に示されるように、ウェブ３１を、ウェブ３１の少なくとも一方における対向するストリップ３０が等しくない長さとなるように接合してもよい。図７は別の実施形態を示しており、ここでウェブ３１は、ストリップの積み重ね体を形成するよう一列に並べられ、ここでウェブ３１の反対側のストリップ３０の長さは、積み重ね体の頂部から底部に、より短く乃至はより長くと変化がつけられる。図８は別の実施形態を示しており、ここでストリップの積み重ね体を形成するウェブ３１の幅は、ウェブ３１が積み重ね体の頂部から積み重ね体の底部の方に幅広くなるように、頂部から底部へと、変化がつけられる。他の実施形態では、ストリップの積み重ね体を形成するウェブ３１の幅は、ウェブ３１が積み重ね体の頂部から積み重ね体の底部の方に狭くなるように、頂部から底部へと、変化がつけられる。さらに他の実施形態では、異なるストリップの列同士の間で（例えば、ストリップの隣接した列同士の間で）、本明細書に記載される変形のいずれかが与えられてもよい。多数の他の変形が可能である。本明細書に記載される様々な実施形態は、清掃表面に特定の三次元形状を与えること、および／または隣接したストリップの列同士の間により良い納まり（nesting）をもたらすこと、あるいは他の目的を含むがこれらに限定されない、あらゆる適した目的に対して使用されてもよい。
【００２６】
図５に示されるように、清掃ミット２０の本体部分２２は、ユーザーの手を収容するための手収容ポケットをそれらの間に形成する、第１部分３４および第２部分３６からなっている。第１部分３４および第２部分３６は、あらゆる適した方法で形成することができる。本体部分２２の第１部分３４および第２部分３６は、一部が別の部分の上に配設されている一体成形の材料から形成することができ、或いは、本体部分２２の第１部分３４および第２部分３６は、１片よりも多い材料から形成することができる。図５に示されるように、本体部分２２の第１部分３４および第２部分３６は、共に接合されてポケットを形成する、材料の２片また、２層から形成される。本明細書で使用する場合、用語「層」としては、単一の折り畳まれていないシート、折り畳まれたシート、材料のストリップ、結合されていない、あるいは結合された繊維、材料の多層若しくは積層体また、このような材料の他の組み合わせが挙げられるが、それらに限定されない。従って、この用語は材料の単一の折り畳まれていない層、あるいはシートに限定されない。
【００２７】
図５に示されるように、本体部分２２の第１部分３４は、２層からなる。これらは、使用中にユーザーの手から離れて配設される外側層３８と、ユーザーの手により近く配設される内側層４０とを含む。外側層３８および内側層４０は、あらゆる適した単数の材料あるいは複数の材料からなり得る。好適な材料としては、織布および不織布ウェブ；並びに孔あきフィルムのようなフィルム、フォーム、スクリム、および網目などの高分子材料が挙げられるが、これらに限定されない。好適な織布および不織布材料は、天然源に由来する繊維（例えば、パルプ、綿、ウール、レーヨン、ビスコース繊維）、合成繊維（例えば、ポリエステル、ポリプロピレン、ナイロン、アラミド、ポリエチレン、ポリ乳酸、および生分解性繊維）、あるいは天然繊維と合成繊維との組合わせから、少なくとも部分的になり得る。合成繊維は、もしあれば、バイコンポーネント繊維、スプリット繊維、および／または超極細繊維の形態を含むがこれらに限定されない、あらゆる適した形態であってもよい。外側層３８および／または内側層４０は、同じ種類の材料（単数または複数）からなり得て、あるいは異なる種類の材料を含んでもよい。外側層３８および／または内側層４０は、材料のストリップ３０を構成する同じ種類の材料（単数または複数）からなることができる。
【００２８】
幾つかの実施形態では、外側層３８および内側層４０は、清掃プロセス中に遭遇する条件に耐性を示す、ある種の材料からなることが望ましい場合がある。つまり、陰イオンに帯電した表面を有するセルロース系材料など、使用中に汚れを寄せ付けない材料を使用することが望ましい場合がある。例えば、セルロース材からなるスポンジおよび他の種類の清掃用具は、一定種の陽イオン性ポリマーを一定の濃度レベルで含有する石鹸と共に使用する場合、より多くの汚れが出てくる。したがって、そのような場合、清掃用品２０が、ポリエステルなど、陽イオンに帯電した表面を有する少なくとも幾つかの材料からなることが望ましい場合がある。そのような清掃用品２０は、例えば、完全にポリエステルからなるか、あるいはポリエステルとポリプロピレンなど何らかの他の材料との混合物からなるかのいずれかであり得る。
【００２９】
非限定的な一実施形態では、外側層３８は、不織布あるいは不織布材料を含む。不織布は、あらゆる適した種類の不織布を含むことができる。不織布外側層３８は、例えば、ストリップ３０としての使用に好適であると本明細書に記載される不織布の種類のいずれかを含むが、外側層３８およびストリップ３０の両方に同じ種類の不織布を使用する必要はない。そのような材料としては、アヴゴル社（Avgol Ltd.）の材料、および上述の後処理された材料が挙げられる。
【００３０】
ある実施形態では、内側層４０の少なくとも一部は、耐液性あるいは液体不透過性である。これは、清掃用品を使用する場合、例えば車を清掃する場合、ユーザーの手が乾いたままであり、汚れないようにすることを可能にするであろう。図示された実施形態では、内側層４０全体が液体不透過性である。内側層４０は、あらゆる適した耐液性あるいは液体不透過性材料を含むことができる。内側層４０は、織布若しくは不織布材料、ポリエチレン若しくはポリプロピレンの熱可塑性フィルムのようなポリマー被膜、あるいはフィルムコーティング不織布材料のような複合材料を含んでもよい。非限定的な一実施形態では、内側層は、米国特許第５，５１８，８０１号、名称「弾性様挙動を示すウェブ材（Web Materials Exhibiting Elastic-Like Behavior）」（チャペル（Chappell）ら、１９９６年５月２１日発行）に記載されているようなフィルムを含む。
【００３１】
図１〜５に示された実施形態では、本体部分２２の第２部分もまた２層を含む。これらは、使用中にユーザーの手から離れて配設される第２の側、外側層４２と、ユーザーの手に対してより近く配設される第２の側、内側層４４とを含む。第２の側外側層４２および第２の側内側層４４は、あらゆる適した単数の材料あるいは複数の材料からなることができる。好適な材料としては、それぞれ第１の側、外側層３８および第１の側内側層４０に適していると規定されているものと同じ種類の材料のいずれかが挙げられるが、これらに限定されない。非限定的な一実施形態では、第２の側、外側層４２は、スノー・フィルトレーション（Snow Filtration）（米国オハイオ州ウェストチェスター（West Chester））から入手される約７０ｇ／ｍ2の坪量を有するおよそ１.７ｄｔｅｘ（１.５デニール）繊維からなっている、淡青色のＳＭＳ熱点結合不織布フィルタバッグ材料を含む。他の実施形態では、この層は、当然ながら、あらゆる適した色彩であり得、あるいは白色であり得る。
【００３２】
本体部分２２の第１部分３４および第２部分３６、の構成要素と、材料のストリップ３０とは、あらゆる適した方法で共に接合することができる。好適な方法としては、接着剤、熱結合、熱−機械的結合、機械的結合、および超音波結合が挙げられるが、これらに限定されない。第１部分３４および第２部分３６の層は、あらゆる適した方法で、それらの面のあらゆる適した単数の部分あるいは複数の部分を覆って、共に接合することができる。これらの部分は、それらの柔軟性を保つ方法で接合されることが望ましい場合がある。本体部分２２の第１部分３４および第２部分３６はまた、それらの周辺部において、あるいはそれらの周辺部に隣接して互いに接合され、ユーザーの手のための開口部を提供できる
ストリップ３０は、あらゆる適した方法で本体部分２２に接合され得る。好適な方法としては、接着剤、熱結合、熱−機械的結合、機械的結合、および超音波結合が挙げられるが、これらに限定されない。図４および５に示されるように、ストリップ３０は、融着結合３２を含む別個の結合区域において、本体部分に接合される。融着結合３２は、熱および／または圧力接着、超音波結合、動的機械的結合などであり得る。圧力は、結合される構成要素を回転ロールとの間へ移動する、材料をアンビル上に置く、圧盤を材料上に押しつける等などによる、あらゆる好適な方法で適用され得る。ストリップを下位層に接合するのに適合で好適な手段は、次の特許の少なくとも幾つかに記載されている：米国特許第４，４３０，１４８号（シェーファー（Schaefer）；米国特許第４，５１５，５９５号（キエビット（Kievit）ら）；米国特許第４，５３１，９９９号（ペルソン（Persson）ら）、米国特許第４，７１０，１８９号および第４，８０８，２５２号（ラッシュ（Lash）に発行）；米国特許第４，８２３，７８３号（ウィルハイト・ジュニア（Willhite, Jr.,）ら）；および米国特許第４，８５４，９８４号および第４，９１９，７５６号（ボール（Ball）らに発行）。
【００３３】
図１〜５に示された清掃用品２０は、ある種の利点を提供することが可能である。しかし、清掃用品は、添付した請求の範囲において特に提示されない限り、そのような利点を提供する必要がないことを理解されたい。そのような利点としては、以下を挙げられ得るが、これらに限定されない：三次元の第１の側は、平らな表面に比べ、清掃される表面に接触するためのより多くの表面積を提供する場合がある；三次元の第１の側は、ミットと清掃される表面との間により良く適合する場合がある；三次元の第１の側は、使用中により多くの快適性を提供するのに、より多くの緩衝をもたらす場合がある；および三次元の第１の側は、汚物を捕捉するためのより多くの空間を提供する場合がある。
【００３４】
多数の他の実施形態が可能である。図９〜１２は、例えば、孔あきの清掃表面（また「トップシート」）４６を有する代替実施形態の清掃用品を示す。孔あきトップシート４６は、そのような実施形態の幾つかの異形では、乗り物の磨かれる表面など、表面にかき傷を生じさせることなく、低研磨性の摺擦面を提供するのに使用することが可能である。孔あきトップシート４６は、清掃プロセス中に除去された汚れを捕捉するための開口部を有する構造体を提供することもできる。
【００３５】
図９〜１２に示された清掃用品２０は、図１〜５に示された清掃用品と同じ構成部分の幾つかを含むことができる。これらとしては、その中に開口部２４を有する本体部分２２、並びに第１の側（また「第１面」）２６および第２の側（また「第２面」）２８が挙げられる。図９および１２に示された通り、上方に向く清掃表面から、着用者の手の甲から外側に向く表面まで、清掃用品２０は、孔あきトップシート４６；詰め物層４８のような嵩高材料など、下層の第２の部材；第１不透過性ライナー５０；第２不透過性ライナー５２；および裏材層５４を含む。これらの構成要素は、あらゆる適した材料を含むことができる。加えて、他の実施形態では、孔あき清掃表面を有する清掃用品は、異なる材料、および／またはより多数の若しくはより少数の材料の層で作製されてもよい。
【００３６】
図９〜１２に示された清掃用品のトップシート４６は、液体および少なくとも幾らかの汚れをその厚みに容易に浸透させる、液体透過性である。好適なトップシート４６は、織布材料および不織布材料；孔あき成形熱可塑性フィルム、孔あきプラスチックフィルム、およびハイドロフォーミングされた熱可塑性フィルムなど高分子材料；多孔質発泡体；網状発泡体；および網状熱可塑性フィルムなど、広範囲の材料から製造することも可能である。好適な織布および不織布材料は、天然繊維（例えば、木材若しくは綿繊維）、合成繊維（例えば、ポリエステル、レーヨン、ポリプロピレン、若しくはポリエチレン繊維のようなポリマー繊維）、あるいは天然繊維と合成繊維との組み合わせから構成され得る。
【００３７】
乗り物清掃用品の場合、清掃される乗り物の表面にかき傷を生じさせることなく、孔あきトップシート４６が充分に柔軟な材料から作製されることが望ましい場合がある。孔あきフィルムおよび孔あき不織布材料は、これらの特性を提供することが可能である。不織布材料は、ランダム的あるいは秩序的な（例えば、平行など）位置決めで結集されたストランドまたは繊維を含む連続的または非連続的な構造要素により形成される、構造的一体性を有する布地集成体を含む。ストランドあるいは繊維は、（ａ）熱可塑性繊維の場合、（例えば、ニードル加工または水流交絡などの結果としての）機械的連結、熱による結合（即ち、溶融）、或いは（ｂ）結合剤の含浸またはコーティングによって、結集することができる。
【００３８】
好適な孔あき成形フィルムは、米国特許第３，９２９，１３５号、名称「先細毛細管を持つ吸収構造物（Absorptive Structures Having Tapered Capillaries）」（トンプソン（Thompson）、１９７５年１２月３０日発行）；米国特許第４，３２４，２４６号、名称「汚れ抵抗性トップシートを有する使い捨て吸収用品（Disposable Absorbent Article Having A Stain Resistant Topsheet）」（マレイン（Mullane）ら、１９８２年４月１３日発行）；米国特許第４，３４２，３１４号、名称「繊維様の特性を示す弾力性のあるプラスチックウェブ（Resilient Plastic Web Exhibiting Fiber-Like Properties）」（ラデル（Radel）ら、１９８２年８月３日発行）；米国特許第４，４６３，０４５号、名称「光沢の無い可視的表面および布様の触感を示す巨視的に膨張された三次元のプラスチックウエブ（Macroscopically Expanded Three-Dimensional Plastic Web Exhibiting Non-Glossy Visible Surface and Cloth-Like Tactile Impression）」（アール（Ahr）ら、１９８４年７月３１日発行）；米国特許第４，６３７，８１９号、名称「巨視的に膨張された三次元の液体処理用重合体ウエブ（Macroscopically Expanded Three-Dimensional Polymeric Web for Transmitting Both Dynamically Deposited and Statically Contacted Fluids From One Surface to the Other）」（ユーレット（Ouellette）ら、１９８７年１月２０日発行）；米国特許第４，６０９，５１８号および第４，６２９，６４３号（いずれもカーロ（Curro）ら、それぞれ１９８６年９月２日および１９８６年１２月１６日発行）；米国特許第５，００６，３９４号、名称「多層重合体フィルム（Multilayer Polymeric Film）」（ベアード（Baird）、１９９１年４月９日発行）；および米国特許出願０８／４４２，９３５、名称「表面エネルギ勾配を備えた流体移送ウェブ（Fluid Transport Webs Exhibiting Surface Energy Gradients）」（ユーレット（Ouellette）らの名前で１９９５年５月３１日出願）（ＰＣＴ国際公開特許ＷＯ９６／００５４８（１９９６年１月１１日公開））に記載されている。トップシート４６に適した１つの孔あき成形フィルムトップシートは、上記の特許の１つ以上において説明され、「ドライウィーブ」（DRI-WEAVE）トップシートとしてプロクターアンドギャンブル社（The Procter & Gamble Company）（オハイオ州シンシナティー（Cincinnati,Ohio））によって生理用ナプキンとして販売されている成形フィルムである。加えて、孔あきスパンレース材料はＢＢＡノンウーブンズ（BBA Nonwovens）から入手できる。
【００３９】
孔あきトップシート４６が不織布材料を含むならば、孔あきトップシート４６は、あらゆる適した不織布材料を含むことができる。図９〜１２に示された実施形態では、孔あきトップシート４６は、延伸孔あき不織布材料を含む。図示された実施形態では、延伸孔あき不織布材料の開口５６は、斜めの列で配されている。この特定の不織布の開口５６はまた、六角形の繰り返し模様で配されているものとして考えてもよい。この模様において、その繰り返し単位の側は、６つの開口により形成され、また各々の繰り返し単位の中心には１つの開口がある。この孔あき不織布材料は、表面の部分（孔なし部分）を有し、それは、開口５６の幅の少なくとも約２分の１の開口５６間の寸法を有する表面である。孔なし部分の大きさは、開口５６の幅の大きさまで、あるいはそれより大きい範囲であり得る。幾つかの実施形態では、これは、清掃表面が、スクリムを構成する構造要素よりも大きい開口部を有するスクリムによって形成された場合に比べ、第２の部材への視界をより良く遮るのに有用である場合がある。好適な延伸孔あき不織布材料は、米国特許第５，６２８，０９７号；第５，６５８，６３９号；および第５，９１６，６６１号に記載されている。
【００４０】
また孔あき不織布材は、幾つかのその他の点において、スクリム材料と区別されてもよい。スクリムもまた開口を有するものの、スクリムは、しばしば、円形の横断面を有する、連続的な長さの交差する構造要素から形成される。スクリムの構造要素は、それらが交差して共に接合される隆起した交点を形成することが多い一方、不織布材は、交差するが、より目立ちにくく、概ね平らな交差点である構造要素を有することが多い。一部の例では、幾つかのスクリム材の交点は、乗り物の表面など、表面にかき傷を生じさせ得ると考えられる。また、スクリムは、あまりに高い開いた区域を有し、それによって汚れが乗り物の表面と容易に接触することになる。
【００４１】
孔あきトップシート４６は、あらゆる適した量の開いた区域を有し得る。孔あきトップシート４６は、約２０〜約８０％の開いた区域、或いは約３０〜約７０％の開いた区域、或いは、約４０〜約６０％の開いた区域を有してもよい。開口は、水（および／若しくは清掃組成物）並びに／または汚れ粒子がそれらの開口部を通り抜け、真下の下層の第２の部材材料に入ることを可能にし、それによってこれらの汚れ粒子と乗り物の表面との間の直接的な相互作用を防ぐことを可能にする。
【００４２】
孔あきトップシート４６と組み合わせて使用することのできる好適な下層の材料としては、４０ｇ／ｍ2（ｇｓｍ）以上の坪量を有する嵩高不織布ポリマー詰め物が挙げられるが、これらに限定されない。そのような材料は、ポリマーグループ社（Polymer Group Incorporated）（「ＰＧＩ」）（米国ノースカロライナ州モーズビル（Mooresville））から入手可能である。一実施形態では、カーディングの後、通気結合によって作製されるＰＧＩの７５ｇ／ｍ2ポリプロピレン、ポリエステル、ＰＥ／ＰＰバイコンポーネント繊維不織布詰め物を使用することができる。
【００４３】
図１２に最もよく見られる第２の部材４８は、トップシート４６と裏材層５４との間に位置決めされている。第２の部材は、必要ではないが、次の機能の１以上を供することが可能である：緩衝機能；スペーシング機能；吸収性機能；汚れ捕捉機能；および／または清掃組成物を泡立てるための泡立て機能。第２の部材４８は、概ね圧縮性、および適合性であってもよい。第２の部材４８は、幾つかの実施形態では、液体を吸収および／または保持することが可能である。他の実施形態では、第２の部材４８は、液体を吸収および／または保持し得る必要はない。
【００４４】
第２の部材４８が液体を吸収および／または保持できることが望ましい実施形態では、第２の部材４８は、吸収性用品において一般に使用されるものを含む、多種多様の材料から製造することが可能である。好適な吸収材料は、一般にエアフェルトと呼ばれる粉砕木材パルプである。その他の好適な吸収性材料の例には、綿繊維あるいは綿リンター、縮みセルロース詰め物（creped cellulose wadding）；コフォームを含むメルトブローンポリマー；化学的に剛化、変性、若しくは架橋されたセルロース繊維；捲縮ポリエステル繊維のような合成繊維；ピートモス；ティッシュラップおよびティッシュ積層体を含むティッシュ；吸収性発泡体；吸収性スポンジ；超吸収性ポリマー（繊維および粒子状形態）；吸収性ゲル化材料；あるいはいずれかの等価の材料、あるいはこれらの材料の組み合わせ若しくは混合物が挙げられる。吸収性材料は、折り畳まれたティッシュ、脱脂綿、織布材料、不織布ウェブ、ニードルパンチレーヨンを含むレーヨン、およびフォームの薄層を含んでもよい。第２の部材４８は、単一材料、または材料の組み合わせを含んでもよい。
【００４５】
第１不透過性ライナー５０、第２不透過性ライナー５２、および裏材層５４は、あらゆる適した材料を含むことができる。好適な材料としては、図１〜５に示された実施形態の、それぞれ内側層用および外側層用として規定される材料が挙げられるが、これらに限定されない。
【００４６】
その他の代替実施形態では、清掃用品は、ユーザーの手の一部に着用される手袋あるいはミットの形態である必要はない。そのような他の実施形態では、例えば、清掃用品は、ハンドル、あるいはホルダーと併せて使用することができる。そのような清掃用品は、例えば、上述の実施形態でユーザーの手が挿入される開口部の中にフィットするような形状に作ることができる。加えて、図１〜５に示された実施形態では、清掃用品は、材料のストリップ３０の下層の繊維束なしに作製することができる。他の実施形態では、清掃用品は、そのような繊維束を含んでもよい。
【００４７】
他の実施形態では、清掃用品２０は、手袋あるいはミットの場合におけるように、ユーザーの手の甲を完全に覆う部分を含む必要はない。他の実施形態では、例えば、清掃用品は、ユーザーの手の甲を覆ういかなる部分をも有さない、拭き取り用品の形態であり得る。他の実施形態では、清掃用品は、ユーザーの手の甲の一部のみを覆う（また単に隣接して着用される）部分を有することができる。そのような実施形態の一例は、清掃用品の形状が拭き取り用品に類似しているが、その１つの端部に着用者の指の先端部をすべり込ませることのできる部分を有する例であり、これは、ユーザーの手の甲の一部のみを覆う（また単に隣接して着用される）。そのような実施形態は、例えば：ユーザーの指の背側；ユーザーの指の先端部の背側；あるいはユーザーの手の甲の全体ではなく、ユーザーの手の甲の一部のみを覆ってもよい。図１３は、清掃用品２０が、その１つの端部に着用者の指部の先端部をすべり込ませることのできる部分を有する実施形態の例を示し、これは、ユーザーの手の甲の一部のみを覆う。図１４は、清掃用品２０が、清掃用品の保持を援助するためのストラップ６０をその裏面に有する実施形態の例を示す。ストラップ６０は、ユーザーの指の全部、あるいはユーザーの指の一部を覆ってフィットするような形状に作られてもよい。
【００４８】
清掃用品２０の追加的な実施形態は、図１５Ａ〜１５Ｃに示されており、本明細書に記載されるような追加的な特性と共に、図１〜１４に示されたのと同じ清掃用品の構成要素の多くを、並びに、それと同じかあるいは類似の構造を含んでもよい。例えば、図１５Ａ〜１５Ｃに示された通り、清掃用品２０は、その中に開口部２４を有する本体部分２２を含む。前述の清掃用品におけるように、本体部分は、開口部が人の手の少なくとも一部を収容するような大きさおよび形状に作られている。この実施形態の清掃用品２０は、さらに、本体部分の指領域７０に指が隣接して配される状態で、開口部が人の手の少なくとも一部を収容するような大きさおよび形状に作られている。一般に、指領域７０は、開口部２４と反対側の端部２５に隣接した、本体部分の区域を含む。
【００４９】
前述の実施形態におけるように、本体部分２２は、第１の側と第２の側とを有しており、これらの側の各々は全表面を有した状態である。現在説明されている清掃用品の実施形態では、第１および第２の側の少なくとも一方は、第１表面を画成する第１領域と、第２表面を画成する第２領域とを含み、第１領域はほぼ平らな材料を含んだ状態である。図１５Ａ〜１５Ｃの実施形態の説明の中で、用語「ほぼ平らな材料」とは、ある長さとある幅を有するが、材料自体の厚さよりも深い寸法を有さない、概ね平らなシートの形状で提供および使用される材料を指す。それ故、ほぼ平らな材料は、例えば、図１〜８の実施形態で三次元の側２６に提供される構成要素とは対照的であり、異なっている。第１領域によって画成される第１表面は、第１領域を含む側の全表面の約９０％未満を構成し、また第１領域は、第２領域とは視覚的に異なっている。第１領域は、第２領域とは視覚的に異なるため、第１領域は、向上した清掃機能性を清掃用品のユーザーに提供するという視覚的な合図を与えるのに使用できる。例えば、ほぼ平らな材料の第１領域は、第１領域が位置する場所、例えば、指領域において圧力を増加させるように視覚的合図をユーザーに与えて、清掃すべき表面からの頑固な汚れの除去を容易にすることができる。
【００５０】
視覚的区別の認識を容易にして、例えば向上した清掃機能性を得るのに、ほぼ平らな材料の第１領域の表面は、それが設けられている少なくとも一方の側の全表面の約９０％未満を含む。追加的な実施形態では、第１領域の表面は、それが設けられている少なくとも一方の側の全表面の約５０％未満、或いは約３３％未満、或いは約２５％未満を含む。ほぼ平らな材料の第１領域は、本体部分の一方、また両方の側の上のあらゆる望ましい位置に位置付けできる。一実施形態では、第１領域は、本体部分の指領域７０に位置する。ほぼ平らな材料の第１領域は、図１５Ａの清掃用品に含まれるほぼ平らな材料の第１領域７２によって示されるように、ほぼ指領域全体を覆うことができる。加えて、ほぼ平らな材料の第１領域は、図１５Ｂにおいて平らな材料７４の第１領域によって示されるように、本体部分２２の指領域７０に設けられてもよく、また指領域７０を越えて本体部分のさらなる区域に延びることができる。さらに別の実施形態では、ほぼ平らな材料の第１領域は、例えば、ユーザーの指１本以上の指先の位置決めと一致する、指領域７０の中の複数の領域に設けられてもよい。指先で局地的な圧力を加えるのに便利な領域７６の形態の、平らな材料の第１領域は、図１５Ｃに示されている。
【００５１】
ほぼ平らな材料の第１領域は、所望する場合、本体部分の第１の側２６若しくは本体部分の第２の側２８のいずれか、あるいは両側に設けられてもよい。例えば、図１５Ａの実施形態では、ほぼ平らな材料の第１領域７２は、毛状か、嵩高か、あるいは他の三次元の表面材料、例えば、本明細書において前述されたような材料のストリップ３０の一部と共に、清掃用品の第１の側２６に設けられる。あるいは、図１５Ｂに示されるように、ほぼ平らな材料の第１領域７４は、本体部分の第２の側２８に設けられてもよい。ほぼ平らな材料の第１領域が第１の側２６上に設けられる場合、図１５Ａに示されるように、ユーザーは、頑固な汚れを除去する一方、ストリップ３０など、三次元の材料を有する本体部分の残りを使用してさほど困難でない汚れを清掃するのに、ほぼ平らな材料の第１領域を有する指領域に圧力を増加させてもよいことが明白であろう。図１５Ｂの代替実施形態では、ほぼ平らな材料の第１領域７４が第２の側２８上に設けられており、ユーザーは、除去しにくい汚れに遭遇した場合、清掃用品を回転させて平らな材料の第１領域をユーザーの手のひら側に向け、第１領域７４における加圧を容易にできるように、第１の側２６に設けられた清掃表面と第２の側２８とを交替させるのに、清掃用品を手の周りで１８０°回転させてもよい。図１５Ｂの実施形態では、第１の側２６は、三次的な清掃部、例えば、ストリップ３０、あるいは同種のものを任意に含んでもよい。
【００５２】
説明してきたように、ほぼ平らな材料の第１領域は、それが設けられている側の第２領域とは視覚的に異なっている。それ故、図１５Ａ〜１５Ｃに関して、第１領域７２，７４および７６は、第２領域７８とは視覚的に異なっている。視覚的な区別は、表面テクスチャ、織り、また印刷、或いはほぼ平らな材料の第１領域と第２領域との色差の形態を含むが、これらに限定されない、あらゆる適した方法で与えられてもよい。この説明の文脈の中で、視覚的に異なるという用語は、ユーザーの肉眼で、平らな材料の第１領域が、その上にほぼ平らな材料の第１領域が設けられている側表面の第２領域と容易に識別できることを意味する。一実施形態では、ほぼ平らな材料の第１領域と側の第２領域７８は、少なくとも３のデルタＥ＊、或いは、少なくとも１０のデルタＥ＊として測定される、視覚的に感知できる色差を有する。本発明の説明の中で、デルタＥ＊は、ハンター・カラークエスト（Hunter ColorQuest）分光光度計を用いて測定され、これらデルタＥ＊、あるいはΔＥ＊＝平方根｛（ΔＬ＊）2＋（Δａ）＊2＋（Δｂ＊）2｝であり、式中、Ｌ＊は明度の測定値、ａ＊は赤色度／緑色度の測定値、およびｂ＊は黄色度／青色度の測定値である。ΔＬ＊＝Ｌ＊（第１領域）−Ｌ＊（第２領域）であり、プラスのΔＬ＊は、第１領域が第２領域よりも明るいことを意味する。マイナスのΔＬ＊は、第１領域が第２領域よりも暗いことを意味する。Δａ＊＝ａ＊（第１領域）−ａ＊（第２領域）であり、プラスのΔａ＊は、第１領域が第２領域よりも赤いことを意味する。マイナスのΔａ＊は、第１領域が、第２領域よりも緑色であることを意味する。Δｂ＊＝ｂ＊（第１領域）−ｂ＊（第２領域）であり、プラスのΔｂ＊は、第１領域が第２領域よりも黄色いことを意味する。マイナスのΔｂ＊は、第１領域が第２領域よりも青いことを意味する。
【００５３】
第１領域のほぼ平らな材料は、望ましい清掃機能性を提供するあらゆる材料であり得る。一実施形態では、向上した清掃機能性は、より高い圧力を第１領域に加えることによって汚れを除去する性能である。好適な材料の例としては、種々の天然および／または合成織布並びに不織布材料を含むがこれらに限定されない、本明細書において前述した織布および不織布材料のいずれかが挙げられる。記載したとおり、ほぼ平らな材料は、典型的にはシート状であり、また例えば、ポリオレフィン、ポリエステル、レーヨン、ビスコース、綿、若しくはその混合物を含む同種のものから、あるいは当該技術分野において既知の他の材料から形成されてもよい。特定の一実施形態では、第１領域は、アクリル樹脂を含浸させた、青色と白色の模様を有するレーヨン７０％およびポリエチレンテレフタレート（ＰＥＴ）３０％を含む６０ｇｓｍの不織布材料から形成される。別の特定の実施形態では、第１領域は、アクリル樹脂を含浸させた、青色と白色の模様を有するビスコース９０％およびＰＥＴ１０％を含む８０ｇｓｍの不織布材料から形成される。
【００５４】
特定の実施形態では、ほぼ平らな材料は、充分な研磨性があって、表面上の視覚的に認知できるかき傷、即ち、肉眼で見えるかき傷を生じさせずに、清掃すべき表面から汚れを除去する。さらに特定の実施形態では、平らな材料は、表面の視覚的に認知できるかき傷を生じさせずに、車のクリアーコーティング面から汚れを除去するのに、充分な研磨性がある。好ましい実施形態では、平らな材料は、視覚的に認知できる表面のかき傷を生じさせずに、頑固な汚れ、即ち、タール、昆虫、鳥の糞、および同種のものなど、典型的には軽い拭き取りでは除去しにくい汚れを除去するのに、充分な研磨性がある。ほぼ平らな材料がこれらの研磨性の制約に合致しているかどうかを評価するのに、種々の技術が採用されてもよい。好適な一方式は、以下のように説明されるが、他の方式もまた採用してもよい。
【００５５】
１つの試験方法では、黒色塗料およびクリアーコーティングでコーティングされた、１０.１２×３０.４８ｃｍ（４×１２インチ）のＡＣＴラボラトリーズ（ACT Laboratories）の試験パネルを、消費者関連の昆虫の汚れ（例えば、ある種のコオロギの汚れを使用することができる）で汚し、加熱乾燥させ、研磨性材料で清掃する。あるいは、ＡＣＴパネルから入手される、消費者の乗り物に付着した本物の昆虫の汚れを使用することができる。昆虫の汚れを試験パネル上に飛散させ、それによって消費者の乗り物に付いた昆虫の汚れが視覚的にどのように見えるか示す。乗り物の表面で起こり得る実際の加熱を模擬するのに、汚れたパネルを天板に置き、対流式オーブン内で加熱乾燥させる。次いで、パネルを冷却する。この清掃手順において、槽の中で試験パネルを５°の角度でスタンドに置き、パネルの頂部から開始して下に移動させながら、０.３ＭＰａ（５０ｐｓｉ）のダイナミックノズルを用いて０.９ｍ（３フィート）の距離からスプレーリンスする。ほぼ平らな材料を、石鹸液に浸し、昆虫の残骸が除去されるまでこの残骸をこすり落とすのに使用する。石鹸液の非限定例は、通常の水道水１００に対する石鹸１の割合での、ミスター・クリーン（Mr. Clean）（商標）オートドライ（AutoDry）（商標）カーウォッシュ（Carwash）詰替用石鹸の通常水道水希釈物である。次いで、パネルを説明のに従ってすすぎ、その後に蒸留水ですすいで空気乾燥させる。一旦乾燥したら、パネルを人の肉眼で視覚的に検査して、残骸が除去されたかどうか、また何らかのかき傷が肉眼で発見できるかどうかを確認する。視覚的に認知できるかき傷が付かずに残骸が除去されたら、合格点と認可する一方、残骸を除去し損ねたり、或いは視覚的に認知できるかき傷が付いて除去されたら、不合格点と認可する。一実施形態では、第１領域に採用されたほぼ平らな材料はこの方式に従って評価する場合、合格点を示す。
【００５６】
一実施形態では、平らな材料は、孔あき材料、例えば、開口が設けられた織布また不織布材料を含む。さらに特定の実施形態では、孔あき材料には、少なくとも約０.５mm、少なくとも約０.７５mm、少なくとも約１mm、また少なくとも約１.２５mmの平均開口寸法を有する開口が設けられている。孔あき材料には、楕円形、円形、ひし形、正方形等を含む多角形、半月形、またスリット形、またその混合を含む、様々な形状のいずれかの開口部を有する開口が設けられてもよい。特定の一実施形態では、孔あき材料には、ひし形の開口が設けられる。
【００５７】
図１６Ａ〜１６Ｃは、本発明による清掃用品のさらなる実施形態を開示する。図１６Ａ〜１６Ｃに示された清掃用品２０は、本明細書に記載されるような追加的な特性と共に、図１〜１５に示されたような清掃用品の同じかあるいは類似の構造における、同じ構成要素の多くを含んでもよい。例えば、図１６Ａ〜１６Ｃに示された通り、清掃用品２０は、その中に開口部２４を有する本体部分２２を含む。前述の清掃用品におけるように、本体部分は、開口部が人の手の少なくとも一部を収容するような大きさおよび形状に作られている。この実施形態の清掃用品２０は、さらに、本体部分の指領域７０に隣接して指が配される状態で、開口部が人の手の少なくとも一部を収容するような大きさおよび形状に作られている。一般に、指領域７０は、開口部２４と反対側の端部２５に隣接した、本体部分の領域を含む。
【００５８】
前述の実施形態におけるように、本体部分２２は、第１の側と第２の側とを有しており、第２の側２８は図１６Ａ〜１６Ｃの各々に示されている。図１６Ａ〜１６Ｃの清掃用品は、本体部分２２の指領域７０の中に位置すると共に、第１の側２６と第２の側２８を連結する、指位置決め部をさらにを含む。指位置決め部は、該指位置決め部によって少なくとも部分的に仕切られた、第１、第２および第３指領域をさらに画成する。例えば、図１６Ａの実施形態では、指位置決め部は、対向する端部２５から本体部分の指領域７０内に延びる、第１および第２接合線８０を含む。したがって、第１および第２接合線は、指領域７０における第１指領域８１ａ、第２指領域８１ｂ、および第３指領域８１ｃを画成する。用品の使用中、清掃用品がユーザーの手の上で位置決めされるのを容易にし、清掃用品がユーザーの手の上で適切な向きに維持されるのを援助する。例えば、ユーザーの手の上での清掃用品の便利且つ快適な向きを維持するのに、ユーザーは、１本または、２本の中指を指領域８１ｂに、あるいは１本、また２本の指、１本の指および親指、また親指を指領域８１ａおよび８１ｃの各々に都合良く位置決めしてもよい。好都合なことに、図１６Ａの実施形態では、第１接合線８０も第２接合線８０も、本体部分の長手方向中心線Ｌに完全に沿って位置しておらず、また例示された実施形態では、長手方向中心線Ｌの両側にあり、それによって、第１、第２および第３領域が長手方向中心線に関してほぼ対称的に画成されるので、接合線は、ユーザーの右手また、左手のいずれかでの清掃用品の使用を容易にする。
【００５９】
図１６Ａの実施形態では、指位置決め部を形成する第１および第２接合線は、長手方向中心線と概ね平行である。しかし、指位置決め部は、あらゆる望ましい方法で位置して、第１、第２および第３指領域を画成してもよいことが理解されるであろう。加えて、第１、第２および第３指領域は、所望どおりに位置してもよい。好ましい実施形態では、第１、第２および第３領域は、ユーザーの左手また、右手のいずれかでの使用が、たやすくなるように、長手方向中心線に関してほぼ対称的に位置する。
【００６０】
図１６Ｂおよび１６Ｃは、指位置決め部を含む清掃用品の追加的な実施形態を開示する。図１６Ｂの実施形態では、指位置決め部は、指領域を第１指領域８３ａ、第２指領域８３ｂおよび第３指領域８３ｃに分割する第１および第２接合線８２を再び含む。接合線８２は、本体部分長手方向中心線Ｌの両側にあり、また各接合線は、長手方向中心線と交差する方向に配列される。接合線８２は、それによって第１および第３領域８３ａおよび８３ｃを画成しており、これらの領域は、本体部分の中に人の手が少なくとも部分的に位置する場合、清掃用品がユーザーの左手に位置決めされるか、あるいは右手に位置決めされるかに応じて、親指をその他の指から仕切るのに特に適している。
【００６１】
図１６Ａおよび１６Ｂの実施形態は各々、２本の接合線を指位置決め部として採用しているものの、指位置決め部は、所望する場合、あらゆる数および／若しくは構成の接合線、あるいは構成要素を画成する他の指領域を含んでもよいことを理解されたい。それ故、図１６Ｃに示されるように、指位置決め部は、連続的な弧状の接合線を含む単一の接合線８４を含む。接合線８４は、第１指領域８５ａ、第２指領域８５ｂ、および第３指領域８５ｃを画成する。先の実施形態におけるように、第１、第２および第３指領域は、本体部分の長手方向中心線に関して対称的に位置するが、指領域の他の位置決めが採用されてもよい。
【００６２】
指位置決め部を形成するのに使用されてもよい指接合部は、ヒートシーリング、超音波接合、粘着性シーリング、縫製、並びに／または本体部分の第１の側および第２の側を形成する際に使用される種類の材料を接着するための、当該技術分野において既知のいずれかの他の技術により形成されてもよい。本体部分の側が２層、またそれ以上の層から形成されるという場合には、第１の側の最内層と第２の側の最内層とが互いに接着してさえいればよい。しかし、さらなる実施形態では、接合部は、本体部分の各側の全層を通って延びる。
【００６３】
本明細書に記載される清掃用品は、あらゆる適した方法で製造することができる。清掃用品は、機械で、手で、また部分的に機械で、部分的に手で作製することができる。種々の図で示された清掃用品は、いくつかの異なる方法で作製することができる。非限定的な一実施形態では、図１〜５に示された清掃用品は、最初に、ユーザーの手のための開口部を残すやり方で、本体部分２２の第１および第２部分を共に接合することによって作製することができる。本体部分の第１および第２部分は、サンドイッチの形状で配され、例えば、それらの周辺部に封止部また、継ぎ目を形成することによって、開口部が必要とされる領域の外側寄りで接合できる。幾つかの実施形態では、この方法で形成された構造を裏返しにして、封止部また、継ぎ目を隠すのが望ましい場合がある。
【００６４】
材料のストリップ３０は、清掃用品を作製するプロセスの中で、あらゆる適した工程で本体部分２２に取り付けられてもよい。切断されて材料のストリップ３０を形成する、材料の１以上の層を供給するのが望ましい場合がある。材料の層（単数または複数）は、完成した清掃用品において材料のストリップ３０の下部にある材料に接合される前、あるいは後のいずれかに切断されてもよい。幾つかの実施形態では、製造を簡略化するのに、層（単数または複数）あるいは材料を、完成した清掃用品において材料のストリップ３０の下部にある材料に接合する前に、層（単数または複数）あるいは材料を少なくとも部分的に切断してストリップにすることが望ましい。
【００６５】
完成した清掃用品において材料のストリップ３０の下にある材料にさらに容易に接合するのに、材料の層（単数または複数）の一部を切断しないで残しておくのが望ましい場合がある。例えば、複数の材料のストリップを操作し、完成した清掃用品において材料のストリップ３０の下部にある材料に取り付けなければならないのではなく、材料の層（単数または複数）の一部を切断しないで残しておき、そこに未切断領域を形成するのが望ましい場合がある。次いで、この未切断領域は、１つより多い材料のストリップを操作し、完成した清掃用品において材料のストリップ３０の下部にある材料に接合するのに使用することができる。例えば、図１〜５に示された実施形態では、材料のストリップ３０は、清掃用品２０の平面図を見れば、縦列Ｃおよび列Ｒの両方に配されているものと考えることができる。この実施形態では、縦列Ｃは、長手方向中心線Ｌの方向に走り、また列Ｒは、横断方向中心線Ｔの方向に向けられている。各縦列は、そこに複数の横断方向の切れ目３３が設けられた、材料のウェブにより形成される。各々の材料のウェブの中心には、未切断区域Ｕが残される。横断方向の切れ目３３は、未切断区域Ｕのそれぞれの側に、材料のストリップ３０を形成する。未切断区域Ｕは、全ての取り付けられた材料のストリップ３０を、完成した清掃用品において材料のストリップ３０の下部にある材料に結合するのに使用することができる。
【００６６】
一部の例では、本体部分の第１および第２部分が共に接合される前に、ストリップを本体部分２２の第１部分に取り付けることが望ましい。他の例では、材料のストリップ３０は、本体部分の第１および第２部分が共に接合された後に、本体部分２２の第１部分に取り付けられてもよい。
【００６７】
清掃用品２０は、製品製造ラインで、あらゆる適した方法で作製することができる。清掃用品を作製する方式の幾つかの実施形態では、組み立てられて清掃用品となる構成要素は、製品製造ライン上で、清掃用品の横断方向中心線を形成する構成要素の部分が、製品製造ライン上で製品の移動方向に向いた状態（つまり、「機械方向」また「ＭＤ」）で向けられてもよい。換言すれば、製造される製品の横断方向中心線Ｔは機械方向を指し、また製品の長手方向中心線Ｌはそれに対して垂直の方向を指すであろう。清掃用品を作製する方式の他の実施形態では、組み立てられる構成要素は、横断方向中心線が機械方向に対して垂直であり（つまり、「機械横方向」また「ＣＤ」に向けられる）、且つ長手方向中心線Ｌが機械方向に向けられるような方向に向けられてもよい。製造を簡略化するのに、材料のストリップ３０の長さが機械方向に走って向けられた状態で、清掃用品２０の構成要素を組み立てるのが望ましい場合がある。それ故、清掃用品２０が横方向に向けられた材料のストリップ３０を有するならば、清掃用品２０の構成要素は、完成した用品の横断方向中心線が機械方向に進むように向けて組み立てられるのが望ましい場合がある。しかし、材料のストリップ３０の長さが機械横方向に走って向けられた状態で、清掃用品２０の構成要素を組み立てることも可能である。
【００６８】
清掃用品２０の三次元の側は、あらゆる適した方法で、綿毛状にすることができる。三次元の側を綿毛状にする１つの方法は、人がその側を指で操作することによるものである。三次元の側を綿毛状にする別の方法は、清掃用品を振盪することによるものである。三次元の側を綿毛状にする他の方法としては、エアジェットおよび／または機械的操作の使用、例えば、清掃用品を製造するプロセスでその表面をレーキ（raking）することによるものが挙げられる。
【００６９】
清掃用品２０を使用するのには、ユーザーは、自分の手の少なくとも一部を、清掃用品の本体２２に形成された開口部２４に挿入し、清掃用品２０の第１表面を使用して表面を清掃するだけである。清掃用品が図１〜５に示された種類であるならば、ユーザーは、用品を使用する前に、本明細書に記載されたように用品を綿毛状にしてもよい。清掃用品２０が両側に清掃表面を有するならば、ユーザーは、表面を清掃するのに、どちらの側も使用することができる。
【００７０】
清掃用品２０は、あらゆる適した方法また、プロセスで使用することができる。非限定的な１つの実施形態では、清掃用品２０は、車両など、乗り物の外部表面を清掃するプロセスで使用されてもよい。このプロセスは、いかなる好適な数の工程をいかなる好適な順序で含んでもよい。そのような１つの実施形態では、プロセスは、乗り物の外部表面に清掃組成物を塗布する工程を含む。いかなる好適な清掃組成物が使用されてもよく、また清掃組成物は、いかなる方法で乗り物の表面に塗布されてもよい。
【００７１】
本記述全体にわたって言及した全ての特許、特許出願（およびそれに基づいて発行された特許およびいかなる関連して発行された外国特許出願）、並びに公開公告の開示内容を本明細書に参考として組み込む。但し、本明細書に参考として組み込まれる文献のいずれもが本発明を教示あるいは開示していないことを明言する。
【００７２】
本発明の特定の実施形態について記載したが、本発明の精神および範囲から逸脱することなく本発明の様々な変更および修正を実施できることが当業者には明らかであろう。更に、本発明をある特定の実施形態と関連させて説明してきたが、これは説明を目的とするものであって、限定を目的とするものではなく、本発明の範囲は、添付の請求項によって定義され、請求項は従来技術が可能にするのと同様に幅広く考えられるべきであることを理解すべきである。
【００７３】
本明細書は、本発明を形成するとみなされる主題を特に指摘して明確に請求する特許請求の範囲をもって結論とするが、本発明は、添付の図面と関連させた以下の説明で更によく理解されると考えられる。
【図面の簡単な説明】
【００７４】
【図１】清掃ミットの形態における清掃用品の非限定的な一実施形態の清掃表面を示す正面図。
【図２】図１に示された清掃用品の背面図。
【図３】図１に示された清掃用品の左側から取られた側面図。
【図４】図１に示された清掃用品の概略正面図であり、その上のストリップの一部を示すと共に、ストリップの端部が再び配される前の用品を示している。
【図５】開口部を有する清掃用品の端部を示す、図４に示された清掃用品の概略端面図。
【図６】図５と同様の角度から取られた拡大概略図であり、ストリップを形成するための代替方法でウェブがそこに接合された状態で、本体部分の第１部分の一部を示している。
【図７】図６と同様の角度から取られた拡大概略図であり、ストリップを形成するための代替方法でウェブがそこに接合された状態で、本体部分の第１部分の一部を示している。
【図８】図６と同様の角度から取られた拡大概略図であり、ストリップを形成するための代替方法でウェブがそこに接合された状態で、本体部分の第１部分の一部を示している。
【図９】孔あきの不織布表面を有する代替実施形態の清掃用品の正面図。
【図１０】図９に示された清掃用品の背面図。
【図１１】図９に示された清掃用品の左側から取った側面図。
【図１２】図９に示された清掃用品の概略端面図であり、開口部を有する清掃用品の端部を示している。
【図１３】ユーザーの手の甲の一部のみを覆う部分を有する清掃用品の代替実施形態の背面図。
【図１４】ユーザーの手の甲の一部のみを覆う部分を有する清掃用品の別の代替実施形態の背面図。
【図１５Ａ】ほぼ平らな材料を含む第１領域を有する清掃用品のさらなる実施形態の図。
【図１５Ｂ】ほぼ平らな材料を含む第１領域を有する清掃用品のさらなる実施形態の図。
【図１５Ｃ】ほぼ平らな材料を含む第１領域を有する清掃用品のさらなる実施形態の図。
【図１６Ａ】指位置決め部分を有する清掃用品のさらなる実施形態の図。
【図１６Ｂ】指位置決め部分を有する清掃用品のさらなる実施形態の図。
【図１６Ｃ】指位置決め部分を有する清掃用品のさらなる実施形態の図。
【図１】
2008516737.tif 000003
【図２】
2008516737.tif 000004
【図３】
2008516737.tif 000005
【図４】
2008516737.tif 000006
【図５】
2008516737.tif 000007
【図６】
2008516737.tif 000008
【図７】
2008516737.tif 000009
【図８】
2008516737.tif 000010
【図９】
2008516737.tif 000011
【図１０】
2008516737.tif 000012
【図１１】
2008516737.tif 000013
【図１２】
2008516737.tif 000014
【図１３】
2008516737.tif 000015
【図１４】
2008516737.tif 000016
【図１５Ａ】
2008516737.tif 000017
【図１５Ｂ】
2008516737.tif 000018
【図１５Ｃ】
2008516737.tif 000019
【図１６Ａ】
2008516737.tif 000020
【図１６Ｂ】
2008516737.tif 000021
【手続補正書】
【提出日】平成19年4月19日(2007.4.19)
【手続補正１】
【補正対象書類名】図面
【補正対象項目名】全図
【補正方法】変更
【補正の内容】
【図１】
2008516737.tif 000022
【図２】
2008516737.tif 000023
【図３】
2008516737.tif 000024
【図４】
2008516737.tif 000025
【図５】
2008516737.tif 000026
【図６】
2008516737.tif 000027
【図７】
2008516737.tif 000028
【図８】
2008516737.tif 000029
【図９】
2008516737.tif 000030
【図１０】
2008516737.tif 000031
【図１１】
2008516737.tif 000032
【図１２】
2008516737.tif 000033
【図１３】
2008516737.tif 000034
【図１４】
2008516737.tif 000035
【図１５Ａ】
2008516737.tif 000036
【図１５Ｂ】
2008516737.tif 000037
【図１５Ｃ】
2008516737.tif 000038
【図１６Ａ】
2008516737.tif 000039
【図１６Ｂ】
2008516737.tif 000040
【図１６Ｃ】
2008516737.tif 000041
【国際調査報告】
2008516737.tif 000042
2008516737.tif 000043
2008516737.tif 000044
2008516737.tif 000045
2008516737.tif 000046